(57)【特許請求の範囲】
【請求項１】
放送による授業及び当該授業に対応した教材データを提供するセンター側システムと、このセンター側システムから放送による授業及び当該授業に対応した教材データの提供を受けるクライアント側システムとからなる遠隔学習システムにおいて、
センター側システムは、所定授業内容を放送するための放送手段と、教材データが格納された記憶手段と、当該記憶手段に教材データとして格納された設問群の中から前記放送手段によって放送される所定の授業内容に対応した設問を、ネットワークを介してクライアント側システムに送信する送信手段と、当該送信手段が送信した設問についての学習結果データをクライアント側システムから受信する受信手段と、当該受信手段が受信した学習結果データに基づいて、クライアント側システムに送信した設問の正答率を算出する学習結果解析手段と、当該学習結果解析手段によって算出された当該正答率が一定水準に達していない設問を前記記憶手段の設問群から抽出して新たな設問を作成する設問作成手段とを備え、当該設問作成手段が作成した新たな設問を前記送信手段がクライアント側システムに送信し、
クライアント側システムは、センター側システムの放送手段から放送される所定の授業内容を受信する放送受信手段と、前記設問作成手段によって作成された新たな設問を受信する設問受信手段と、当該設問受信手段が受信した各設問を出題する設問出題手段とを有し、当該設問出題手段は、センター側システムの放送手段による所定授業内容の放送予定日前には前記所定の授業内容に対応した設問を出題し、センター側システムの放送手段による所定授業内容の放送予定日後には前記設問作成手段によって作成された新たな設問を出題する遠隔学習システム。
【請求項２】
前記学習結果解析手段が算出した前記正答率は、クライアント側システムに設けられたブラウザから閲覧可能とされている請求項１に記載の遠隔学習システム。
【請求項３】
センター側システムの送信手段は、前記学習結果解析手段が算出した正答率のデータをクライアント側システムに対して送信し、
クライアント側システムは、センター側システムの送信手段から送信されてくる前記正答率のデータを受信する解析データ受信手段を有する請求項１又は請求項２に記載の遠隔学習システム。
【請求項４】
クライアント側システムは、前記解析データ受信手段が受信した前記正答率のデータに対応する問題要求指示をセンター側システムに送信する指示送信手段を有し、
センター側システムの受信手段は、クライアント側システムの指示送信手段から送られてくる前記問題要求指示を受信し、前記設問作成手段は、当該受信手段が受信したクライアント側システムからの問題要求指示があった場合に、前記新たな設問の作成を実行する請求項３に記載の遠隔学習システム。
【請求項５】
センター側システムの送信手段は、前記記憶手段に教材データとして格納された設問群の中から、前記所定の授業内容に対応した設問として、前記放送予定日前用の設問と、前記放送予定日後用の設問とをクライアント側システムに送信し、
クライアント側システムの設問受信手段は、前記放送予定日前用の設問と前記放送予定日後用の設問とを受信し、前記設問出題手段は、センター側システムの放送手段による所定授業内容の放送予定日後には、前記設問受信手段がセンター側システムから前記新たな設問を受信しているときは当該新たな設問を出題し、前記設問受信手段が当該新たな設問を受信していないときは前記放送予定日後用の設問を出題する請求項４に記載の遠隔学習システム。
【請求項６】
センター側システムは、前記記憶手段に新たな教材データが追加されているか否かを検出し、新たな教材データが追加されている場合、新たな教材データが追加されたことをクライアント側システムに通知する教材追加情報通知手段とを備え、
前記受信手段は、クライアント側システムから新たな教材データの配信要求を受信したときに、前記記憶手段から新たに追加された教材データを読み出してクライアント側システムに送信する追加教材送信手段とを備えた請求項１乃至請求項５のいずれかに記載の遠隔学習システム。
【請求項７】
前記教材追加情報通知手段は、前記記憶手段に新たな教材データが追加されているか否かの再検出時に、前記記憶手段に新たな教材データが追加されていない場合であっても、過去に新たな教材データが追加されたことが検出されており、前記クライアント側システムへの前記通知を一度行っているときには、当該新たな教材データの存在を示す旨の通知をクライアント側システムに対して行う請求項６に記載の遠隔学習システム。
【請求項８】
センター側システムの追加教材送信手段は、前記受信手段クライアント側システムから新たな教材データの配信要求を受信したとき、前記学習結果解析手段が算出した前記正答率が所定条件を満たしている場合にのみ、新たに追加された教材データをクライアント側システムに送信する請求項６又は請求項７に記載の遠隔学習システム。
【発明の詳細な説明】
【０００１】
【発明の属する技術分野】
本発明は、各種教材データとして設問群が格納された記憶手段を有するサーバから、ネットワークを介して複数のクライアント側システムに教材データを配信する遠隔学習システムに関する。
【０００２】
【従来の技術】
従来から、ネットワークを介して複数のクライアント端末に教材データを配信する遠隔学習システムが知られている。この遠隔学習システムは、教育機関・受験機関等が運営するサーバからクライアント端末が教材データを受信し、この受信した教材データをクライアント端末で学習者（受講者）等が閲覧して学習するものである。この遠隔学習システムにおける教材をクライアント端末に配信するための技術として、例えば、特開2001-296789号公報に示されるように、学校側のユーザ端末と教材出版メーカのセンタ端末とをネットワークを介して接続し、ユーザ端末からのメール等による要求に応じた教材を、教材出版メーカのセンタ端末からユーザ端末に配信する教材配信システムがある。
【０００３】
【発明が解決しようとする課題】
しかしながら、上記遠隔学習システムは、センタ端末がユーザ端末から質問や感想等としてメール等を受信しているだけで、センタ端末側では当該メールによる要求に対してコンピュータが自動的に適切な問題を作成して配信しているわけではない。すなわち、当該遠隔学習システムでは、センタ端末におけるユーザ端末からの教材配信要求の受信は、教材や授業に対する学習者の反応を取得するための手段としての利用に止まっており、当該教材配信要求に応じた教材の作成及び配信は、人による作業を介して行われていた。また、このような教材の作成及び配信技術では、教材の選択は教材作成者の勘や経験に頼らざるを得ず、学習者の知識理解度に正確に対応した教材を即時に作成して配信することはできない。
【０００４】
本発明は、上述した問題点を解決するためになされたものであり、学習者の知識理解度に正確に対応した教材を即時に作成して、自動的にクライアント側システムに配信することができる遠隔学習システムを提供することを目的とする。
【０００５】
【課題を解決するための手段】
上記目的を達成するために請求項１に記載の発明は、放送による授業及び当該授業に対応した教材データを提供するセンター側システムと、このセンター側システムから放送による授業及び当該授業に対応した教材データの提供を受けるクライアント側システムとからなる遠隔学習システムにおいて、
センター側システムは、所定授業内容を放送するための放送手段と、教材データが格納された記憶手段と、当該記憶手段に教材データとして格納された設問群の中から前記放送手段によって放送される所定の授業内容に対応した設問を、ネットワークを介してクライアント側システムに送信する送信手段と、当該送信手段が送信した設問についての学習結果データをクライアント側システムから受信する受信手段と、当該受信手段が受信した学習結果データに基づいて、クライアント側システムに送信した設問の正答率を算出する学習結果解析手段と、当該学習結果解析手段によって算出された当該正答率が一定水準に達していない設問を前記記憶手段の設問群から抽出して新たな設問を作成する設問作成手段とを備え、当該設問作成手段が作成した新たな設問を前記送信手段がクライアント側システムに送信し、
クライアント側システムは、センター側システムの放送手段から放送される所定の授業内容を受信する放送受信手段と、前記設問作成手段によって作成された新たな設問を受信する設問受信手段と、当該設問受信手段が受信した各設問を出題する設問出題手段とを有し、当該設問出題手段は、センター側システムの放送手段による所定授業内容の放送予定日前には前記所定の授業内容に対応した設問を出題し、センター側システムの放送手段による所定授業内容の放送予定日後には前記設問作成手段によって作成された新たな設問を出題するものである。
【０００６】
この構成によれば、センター側システムにおいて、クライアント側システムから得た学習結果データに基づいて、クライアント側システムに送信した設問の正答率が算出され、当該正答率に基づいた新たな設問が作成されてクライアント側システムに送信されるので、クライアント側システムを用いて学習する学習者の学習進捗状況や理解度に応じて、即時に新たな設問を作成してクライアント側システムに自動的に送信することができる。これにより、学習者は一度受信して学習した設問を効率良く復習すること等が可能になり、高い学習効果を得ることができる。
【０００７】
また、クライアント側システムにおいて、センター側システムが放送する授業内容の放送予定日に応じて、当該授業内容に対応した設問又は上記正答率に基づいて作成された新たな設問のいずれかが選択的に出題されるので、クライアント側システムで学習する学習者は、放送される授業をより深く理解することが可能になり、高い学習効果を得ることができる。
【０００８】
また、請求項２に記載の発明は、請求項１に記載の遠隔学習システムにおいて、前記学習結果解析手段が算出した前記正答率は、クライアント側システムに設けられたブラウザから閲覧可能とされているものである。
【０００９】
また、請求項３に記載の発明は、請求項１又は請求項２に記載の遠隔学習システムであって、センター側システムの送信手段は、前記学習結果解析手段が算出した正答率のデータをクライアント側システムに対して送信し、
クライアント側システムは、センター側システムの送信手段から送信されてくる前記正答率のデータを受信する解析データ受信手段を有するものである。
【００１０】
これらの構成によれば、クライアント側システムにおいて前記学習結果解析手段が算出した前記正答率が閲覧可能なので、学習者は当該正答率を参考にして今後の学習計画を立てることができる。また、クライアント側システムを利用して授業を行う講師も当該正答率を参考にすることで、講師は自身の勘や経験に頼ることなく、正確に学習者の能力や学習進捗状況に応じた授業を行うことが可能になる。
【００１１】
また、請求項４に記載の発明は、請求項３に記載の遠隔学習システムであって、クライアント側システムは、前記解析データ受信手段が受信した前記正答率のデータに対応する問題要求指示をセンター側システムに送信する指示送信手段を有し、
センター側システムの受信手段は、クライアント側システムの指示送信手段から送られてくる前記問題要求指示を受信し、前記設問作成手段は、当該受信手段が受信したクライアント側システムからの問題要求指示があった場合に、前記新たな設問の作成を実行するものである。
【００１２】
この構成によれば、上記正答率に対応して前記クライアント側システムから送られてくる問題要求指示に基づいて、クライアント側システムで新たな設問が作成されるので、更に正確に学習者の学習進捗状況や理解度に応じた新たな設問を作成することができる。
【００１３】
また、請求項５に記載の発明は、請求項４に記載の遠隔学習システムであって、センター側システムの送信手段は、前記記憶手段に教材データとして格納された設問群の中から、前記所定の授業内容に対応した設問として、前記放送予定日前用の設問と、前記放送予定日後用の設問とをクライアント側システムに送信し、
クライアント側システムの設問受信手段は、前記放送予定日前用の設問と前記放送予定日後用の設問とを受信し、前記設問出題手段は、センター側システムの放送手段による所定授業内容の放送予定日後には、前記設問受信手段がセンター側システムから前記新たな設問を受信しているときは当該新たな設問を出題し、前記設問受信手段が当該新たな設問を受信していないときは前記放送予定日後用の設問を出題するものである。
【００１４】
この構成によれば、クライアント側システムにおいて、センター側システムが放送する授業内容の放送予定日後には、上記新たな設問又は放送予定日後用の設問を選択的に出題するので、クライアント側システムで学習する学習者は、放送される授業をより深く理解することが可能となり、高い学習効果を得ることができる。
【００１５】
また、請求項６に記載の発明は、請求項１乃至請求項５のいずれかに記載の遠隔学習システムであって、センター側システムは、前記記憶手段に新たな教材データが追加されたことをクライアント側システムに通知する教材追加情報通知手段とを備え、
前記受信手段は、クライアント側システムから新たな教材データの配信要求を受信したときに、前記記憶手段から新たに追加された教材データを読み出してクライアント側システムに送信する追加教材送信手段とを備えたものである。
【００１６】
また、請求項７に記載の発明は、請求項６に記載の遠隔学習システムであって、前記教材追加情報通知手段は、前記記憶手段に新たな教材データが追加されているか否かの再検出時に、前記記憶手段に新たな教材データが追加されていない場合であっても、過去に新たな教材データが追加されたことが検出されており、前記クライアント側システムへの前記通知を一度行っているときには、当該新たな教材データの存在を示す旨の通知をクライアント側システムに対して行うものである。
【００１７】
これらの構成によれば、センター側システムに新たな教材データが追加されたことがクライアント側システムに通知され、クライアント側システムから新たな教材データの配信要求があった場合に、当該新たに追加された教材データがクライアント側システムに送信されるので、新たに追加された教材データの送信を希望するクライアント側システムにのみ当該教材データを送信することができ、学習者の学習意欲と学習理解度に応じた教材データの配信を行うことができる。
【００１８】
また、請求項８に記載の発明は、請求項６又は請求項７に記載の遠隔学習システムであって、センター側システムの追加教材送信手段は、前記受信手段がクライアント側システムから新たな教材データの配信要求を受信したとき、前記学習結果解析手段が算出した前記正答率が所定条件を満たしている場合にのみ、新たに追加された教材データをクライアント側システムに送信するものである。
【００１９】
この構成によれば、クライアント側システムから新たな教材データの配信要求があり、学習結果解析手段の算出した正答率が所定条件を満たしている場合にのみ、新たに追加された教材データがクライアント側システムに送信されるので、更に正確に学習者の学習意欲と学習理解度に合わせた教材データの配信が行われる。
【００２０】
【発明の実施の形態】
以下、本発明の一実施形態に係る遠隔学習システムについて図面を参照して説明する。図１は本発明の一実施形態に係る遠隔学習システムの全体構成図である。本発明に係る遠隔学習システム１は、遠隔教育サービスセンター２からネットワーク回線３を介して複数のサテライト講義受信学校４に教材データを配信するものである。本実施形態では、特に、通信衛星５を利用して遠隔教育サービスセンター２から発信されるサテライト講義を受信して授業を行うサテライト講義受信学校４に対して、当該サテライト講義の内容に即した教材をネットワークを介して適時に提供する場合について説明する。
【００２１】
図２は遠隔教育サービスセンター２及びサテライト講義受信学校４の内部構成を示した遠隔学習システムの全体構成図である。遠隔教育サービスセンター２は、衛星放送を行うための一般的な放送設備であるサテライト講義放送装置２１と、各サテライト講義受信学校４に配信するドリル問題を作成するドリル問題オーサリング装置２２と、ドリル問題オーサリング装置２２が作成したドリル問題のデータを含む各種データを、ネットワーク回線３を介して各サテライト講義受信学校４との間で送受信するドリル問題配信装置２３とを備えている。
【００２２】
上記ドリル問題オーサリング装置２２は、教材データとしてドリル用の設問群が格納されたドリル問題格納部（記憶手段）２２１と、各サテライト講義受信学校４から受信した学習結果データ（ドリル学習を行った実績や各学習者（受講者）の成績等）を解析するドリル学習結果解析部（学習結果解析手段，設問作成手段）２２２とを有している。
【００２３】
ドリル問題配信装置２３は、ドリル問題オーサリング装置２２が作成したドリル問題のデータを各サテライト講義受信学校４に配信するドリル問題配信部（送信手段）２３１と、各サテライト講義受信学校４からドリル問題の学習結果データを受信するドリル学習結果受信部（受信手段）２３２とを有する。
【００２４】
サテライト講義受信学校４は、遠隔教育サービスセンター２から発信される放送を通信衛星５から受信できる一般的な衛星放送受信装置（衛星チューナ）及び受信映像生成装置（テレビ）からなるサテライト講義受信装置４１と、遠隔教育サービスセンター２との間でドリル問題データを含む各種データを中継するドリル問題配信中継装置（中継サーバ（端末））４２と、このドリル問題配信中継装置４２からドリル問題データの配信を受けるドリル形式学習装置（クライアント側システム）４３とを有している。
【００２５】
上記ドリル問題配信中継装置４２は、遠隔教育サービスセンター２からドリル問題のデータ配信を受ける問題ダウンロード部４２１と、ドリル形式学習装置４３によって実施されたドリル学習の学習結果データを遠隔教育サービスセンター２に送信する学習履歴送信部４２２とを有する。ドリル形式学習装置４３は、データとして送られてきたドリル問題を閲覧可能な状態として実際にドリル学習を行うためのドリル形式学習部４３１と、ドリル学習を行った実績や各学習者の成績等を学習結果データとして保存するための学習履歴保存部４３２とを有する。後述するドリル学習サーバ及びドリル学習クライアントが、これらドリル形式学習部４３１及び学習履歴保存部４３２として機能する。
【００２６】
ドリル形式学習装置４３の構成について更に説明する。図３はドリル形式学習装置４３を構成する各機器を示す図、図４はドリル学習サーバの概略構成を示す図、図５はドリル学習クライアントの概略構成を示す図である。図３に示すように、ドリル形式学習装置４３は、ドリル形式学習の履歴を保存・管理するドリル学習サーバ４３５と、ＷＷＷブラウザが動作するクライアントＰＣからなるドリル学習クライアント４３６とで構成される。ドリル学習サーバ４３５は、例えば、講師用にサテライト講義受信学校４毎に１台、ドリル学習クライアント４３６は当該サテライト講義受信学校４における学習者数分の台数で構成される。
【００２７】
上記ドリル学習サーバ４３５は、図４に示すように、Java（登録商標、以下同じ）アプレットを格納したＷＷＷサーバ４３５１と、Javaサーブレットエンジン４３５２とからなる。
【００２８】
ドリル学習クライアント４３６は、ＷＷＷブラウザ内で動作するドリル学習用アプレット（Javaアプレット）４３６０を備え、このドリル学習用アプレット４３６０は、インターネットメール送受信モジュール４３６１，ドリル問題出題制御モジュール４３６２，学習履歴管理モジュール４３６３とから構成される。ドリル学習用アプレット４３６０は、ドリル学習サーバ４３５内のＷＷＷサーバ４３５１を介してドリル学習クライアント４３６のＷＷＷブラウザに読み込まれる。ドリル学習サーバ４３５内のJavaサーブレットエンジン４３５２には、ドリル学習用アプレット４３６０の学習履歴管理モジュール４３６３とデータ通信を行って各ドリル学習クライアント４３６毎（各学習者毎）の学習履歴を保存・管理する学習履歴保存サーブレットが格納されている。このドリル学習クライアント４３６では、ドリル学習用アプレットによって、同じドリル問題を繰り返し出題して学習できるようになっている。
【００２９】
上記構成でなる遠隔学習システム１によって、遠隔教育サービスセンター２は、サテライト講義に関連したドリル問題をドリル問題オーサリング装置２２で作成し、作成したドリル問題のデータをドリル問題配信装置２３からネットワーク回線３を介して、各サテライト講義受信学校４毎のドリル問題配信中継装置４２に配信する。これらドリル問題配信装置２３及びドリル問題配信中継装置４２は、例えば、インターネット・メールサーバによって構成される。この場合、各サテライト講義受信学校４内のドリル学習クライアント４３６毎、すなわち、各学習者毎にメールアドレスを割り当て、ドリル問題配信装置２３として機能するメールサーバから、ネットワーク回線３を介してドリル問題配信中継装置４２として機能するメールサーバにメール形式でドリル問題のデータを配信し、このドリル問題配信中継装置４２として機能するメールサーバ内にある各ドリル学習クライアント毎（各学習者毎）のメール受信ボックスにドリル問題データを配信する。
【００３０】
各ドリル学習クライアント４３６毎（各学習者毎）のメール受信ボックスに配信されたドリル問題データは、学習者が各ドリル学習クライアント４３６によって取り出し、サテライト講義の事前・事後のタイミングで閲覧・回答する。この学習結果データ（設問毎の正誤結果等）は、ドリル問題配信中継装置４２（メールサーバ）から、ネットワークを介して、ドリル問題配信装置２３（メールサーバ）に返信され、ドリル問題配信装置２３内のメールボックス（例えば、サテライト講座毎に作成したメールアドレス用の受信ボックス）に収められる。
【００３１】
ドリル問題配信装置２３内のメールボックスに配信された学習結果データ（学習履歴）は、ドリル問題オーサリング装置２２によって取り出され、設問毎や出題範囲毎の正答率が集計処理される。そして、その集計結果に基づいて復習用の新たな問題が作成され、再度ドリル問題配信装置２３から、各サテライト講義受信学校４のドリル問題配信中継装置４２内の各ドリル学習クライアント４３６毎（各学習者毎）のメール受信ボックスに配信される。
【００３２】
次に、サテライト講義受信学校４におけるドリル学習クライアント４３６のドリル学習用アプレット４３６０の動作シーケンスを説明する。図６は当該動作シーケンスを示すフローチャート、図７は認証情報入力用画面を示す図である。ドリル学習クライアント４３６での学習開始時には、まず、ドリル学習サーバ４３５のＷＷＷサーバ４３５１からドリル学習クライアント４３６のＷＷＷブラウザ内にドリル学習用アプレット４３６０を読み込んで起動させる（Ｓ１）。起動されたドリル学習用アプレット４３６０は、ドリル学習用に予め学習者に配布しておいた認証情報（例えば、ユーザ名とパスワード等）を入力するための認証情報入力用画面（図７）を表示する（Ｓ２）。
【００３３】
この認証情報入力用画面において認証情報が入力されると、ドリル学習用アプレット４３６０はインターネットメール送受信モジュール４３６１を起動し、入力された認証情報をインターネットメール送受信モジュール４３６１に渡す（Ｓ３）。起動されたインターネットメール送受信モジュール４３６１は、当該認証情報を用いて、ドリル問題配信中継装置４２として機能するメールサーバに、例えば、ＰＯＰ(post office protocol)３接続し、各ドリル学習クライアント４３６用（各学習者用）のメールボックスに配信されたドリル問題データを取得する（Ｓ４）。なお、メールサーバ（ドリル問題配信中継装置４２）のＰＯＰ３認証情報は接続画面に入力した情報と同じとする。
【００３４】
ドリル学習用アプレット４３６０は、当該受信したドリル問題データをドリル問題出題制御モジュール４３６２に渡し、図８のデータ形式（設問数、設問番号、選択肢数、正答番号、出題分野、設問文、解説文のデータを含む形式）からなるドリル問題データを解析処理し、内部メモリ上に展開する（Ｓ５）。そして、図９に示すドリル形式反復学習実施画面を表示する（Ｓ６）。このドリル形式反復学習実施画面では、現時点の年月日を考慮してサテライト講義の放送設定年月日に合わせた内容のドリル問題、すなわち、サテライト講義との学習タイミングに応じたドリル問題を出題するように処理を行う。なお、このドリル形式反復学習実施画面は、学習者の学習状況に応じて図１０に示す解答・解説画面に切り換えられる。
【００３５】
ここで、上記サテライト講義との学習タイミングに応じたドリル問題の出題処理について説明する。例えば、図１１に示す処理のように、現時点の年月日がサテライト講義放送前である場合は（Ｓ２１でＹＥＳ）、サテライト講義の予習用の「プレ学習」用ドリル問題を出題する（Ｓ２４）。現時点の年月日がサテライト講義放送前でない場合は（Ｓ２１でＮＯ）、「おさらい学習」用ドリル問題データが配信済みか否かを確認する（Ｓ２２）。未だ「おさらい学習」用ドリル問題を受信していない場合は（Ｓ２２でＹＥＳ）、当該サテライト講義の復習用の「ポスト学習」用ドリル問題を出題する（Ｓ２５）。「おさらい学習」用ドリル問題を既に受信している場合は（Ｓ２２でＮＯ）、「おさらい学習」用ドリル問題を出題する（Ｓ２３）。
【００３６】
「プレ学習」用ドリル問題の出題処理としては、遠隔教育サービスセンター２から送られてきたドリル問題データの中で、予めサテライト講義の内容を理解する上で必要となる「前提設問」や、サテライト講義内容に関する学習意欲を高めるための「動機付け設問」として設定されている設問を抽出して出題する処理を行う。「ポスト学習」用ドリル問題の出題処理としては、遠隔教育サービスセンター２から送られてきたドリル問題データの中で、予めサテライト講義聴講後に学習内容の確認・整理用の「復習設問」として設定されている設問を抽出して出題する処理を行う。なお、この「ポスト学習」の学習結果（学習履歴・回答結果等）は、個人の学習履歴としてドリル学習サーバ４３５に保存され、次回以降の同一内容に関する「ポスト学習」の中で活用すると共に、遠隔教育サービスセンター２にネットワークを介して送信する。「おさらい学習」用ドリル問題の出題処理としては、学習者の「プレ学習」及び「ポスト学習」の学習結果に基づいて遠隔教育サービスセンター２のドリル学習結果解析部２２２が作成した「おさらい学習」用ドリル問題データを受信して出題する処理を行う。
【００３７】
再び図６を参照して説明する。上記のようにして、「プレ学習」用ドリル問題，「おさらい学習」用ドリル問題，「ポスト学習」用ドリル問題のいずれかを出題した後、学習者から全設問についての回答が入力されると、ドリル問題出題制御モジュール４３６２は、ドリル学習クライアント４３６の内部メモリに予め展開しておいたドリル問題データ情報を用いて自動採点を行い、図１２に示すような採点結果画面を表示する（Ｓ７）。
【００３８】
上記問題についての学習が初回の場合は（Ｓ８でＹＥＳ）、ドリル問題出題制御モジュール４３６２は、自動採点処理後にインターネットメール送受信モジュール４３６１を起動して、設問毎の回答正誤結果データをインターネットメール送受信モジュールに渡し、SMTP送信処理して遠隔教育サービスセンター２宛のメールアドレスに返信する（Ｓ９）。
【００３９】
図９又は図１２の画面に表示されている終了ボタンがマウスポインタによりクリックされて学習の終了が指示があった場合は（Ｓ１０でＹＥＳ）、ドリル学習用アプレット４３６０の学習履歴モジュール４３６３を起動し、ドリル問題出題制御モジュール４３６２内のメモリに蓄積した設問毎の累積正答率を読み出して、ドリル学習サーバ４３５内の学習履歴保存サーブレットとデータ通信を行い、図１３のデータ形式で学習履歴管理モジュール４３６３内のメモリに保存する（Ｓ１１）。
【００４０】
学習終了の指示がなく、図９又は図１２の画面に表示されている反復学習のボタンがクリックされたときは（Ｓ１０でＮＯ）、再度同じドリル問題を出題する処理を行うが、この場合、ドリル問題出題制御モジュール４３６２がドリル学習サーバ４３５内の学習履歴保存サーブレットとデータ通信を行い、前回までの設問毎の正答率を取得して、反復学習における累積正答率を図１４に示す式で算出して初期値として読み込んだ後、当該累積正答率に基づいて正答率の低い順に出題する（Ｓ１２）。以後はＳ７〜Ｓ１０の処理を繰り返す。
【００４１】
なお、Ｓ７の処理後、図１２の採点結果表示画面で反復ボタンをクリックすると、設問表示順番を変更して出題する処理を行うようにしてもよい。
【００４２】
次に、ドリル学習アプレット４３６０から送信される問題毎の初回学習履歴（問題を構成する設問毎の正誤結果）を用いた、ドリル問題オーサリング装置２２のドリル学習結果解析部２２２の処理を説明する。図１５は当該処理を示すフローチャートである。サテライト講義終了後、講師がドリル学習サーバ４３５から、遠隔教育サービスセンター２内のドリル学習オーサリング装置２２のドリル学習結果解析部２２２にアクセスして学習結果集計アプリケーションが起動すると、ドリル学習結果解析部２２２はドリル問題配信装置２３（メールサーバ）にPOP3接続し、遠隔教育サービスセンター２宛メールボックスに到着している図１６に示すデータ書式で送られてくる学習結果用メールを学習結果データとして取り込む（Ｓ３１）。
【００４３】
ドリル学習結果解析部２２２は、取り込んだ学習結果データを解析処理して出題範囲毎の正答率を算出し、出題範囲別正答率集計結果グラフを生成すると共に（Ｓ３２）、問題／設問毎の正答率を計算し、問題／設問別正答率集計結果グラフを生成する（Ｓ３３）。そして、ドリル学習結果解析部２２２は、図１７に示すような画面によって出題範囲別及び問題／設問別正答率集計結果グラフを表示して（Ｓ３４）、サテライト講義受信学校４側のドリル学習サーバ４３５から閲覧できる状態にする。
【００４４】
講師により、ドリル学習サーバ４３５に表示された上記画面の選択ボタンで所望の問題が選択され、配信ボタンがクリックされると、ドリル学習結果解析部２２２は当該配信要求に基づいて、選択された問題データをドリル問題格納部２２１から抽出して「おさらい学習」用ドリル問題を構成する（Ｓ３５）。そして、この構成した「おさらい学習」用ドリル問題のデータをドリル問題配信装置２３（メールサーバ）を通じて、サテライト講義受信学校４の各学習者宛のメールアドレスからSMTP送信処理して配信する（Ｓ３６）。この各学習者宛のメールアドレスは、ドリル問題配信装置２３（メールサーバ）に、各学習者への同報配信用のメーリングリストを作成・登録しておき、このメーリングリスト宛に「おさらい学習」用ドリル問題のデータを配信することによって実現する。
【００４５】
上記処理では、ドリル学習結果解析部２２２は学習結果データを解析処理した後、講師（ドリル学習サーバ）からの要求に応じて「おさらい学習」用ドリル問題として適切な設問を選択して生成しているが、ドリル学習結果解析部２２２が、自動的に学習結果データの解析結果に基づいて、例えば、正答率が一定水準に達していない問題をドリル問題格納部２２１から抽出して「おさらい学習」用ドリル問題を生成し、遠隔教育サービスセンター２に配信するようにしてもよい。また、講師（ドリル学習サーバ）からの要求及び学習結果データの解析結果の両方に基づいて、ドリル学習結果解析部２２２が「おさらい学習」用ドリル問題を生成するようにしてもよい。
【００４６】
また、サテライト講義受講前に配信するドリル問題（「プレ学習」又は「ポスト学習」用ドリル問題）の配信処理も、本学習結果集計アプリケーションによって行う。この場合、本学習結果集計アプリケーションは、ドリル問題オーサリング装置２２内のドリル問題格納部２２１に予めサテライト講義毎に「プレ学習」又は「ポスト学習」用ドリル問題として格納されているドリル問題データを読み出し、サテライト講義毎に、図１８のような画面で「プレ学習」又は「ポスト学習」用ドリル問題を一覧表示する。この表示画面上で配信ボタンがクリックされると、サテライト講義受信学校４宛のメールアドレスからSMTP送信処理して、サテライト講義受信学校４に「プレ学習」又は「ポスト学習」用ドリル問題のデータを配信する。
【００４７】
次に、本発明に係る遠隔教育システムの他の実施形態について説明する。図１９は他の実施形態に係る遠隔学習システムの全体構成図である。他の実施形態に係る遠隔学習システム１０は、サテライト講義受信学校４から遠隔学習サービスセンター２に送信されてきた学習結果データに基づいて出題範囲別及び設問別正答率をクラス単位、学校単位、地域単位、全国単位等で集計・解析し、当該集計・解析結果を「学習成績データ」として各サテライト講義受信学校４にメール送信するドリル問題成績データ解析装置２４を更に備えている。一方、各サテライト講義受信学校４には、Javaアプリケーション等からなり、遠隔学習サービスセンター２から受信した上記学習成績データを閲覧するためのドリル問題成績データ閲覧装置４４が備えられている。
【００４８】
さらに、遠隔学習サービスセンター２は、サテライト講義用教材のデータを追加・補足でき、当該追加・補足した教材（以下、補足教材という）を各サテライト講義受信学校４に配信する補足教材配信サービス装置（追加教材送信手段）２５と、補足教材が追加されたことを各サテライト講義受信学校４にメールで通知するための補足教材新着案内サービス装置（教材追加情報通知手段）２６とを更に備える。一方、各サテライト講義受信学校４は、補足教材の追加を知らせる補足教材新着案内サービス装置２６からのメール（以下、新着案内メールという）を受信して表示するための補足教材新着案内入手装置４５と、補足教材配信サービス装置２５から補足教材データを受信して表示するための補足教材入手装置４６とを備えている。
【００４９】
上記ドリル問題成績データ解析装置２４による学習成績データの生成及び配信処理を説明する。図２０は当該学習データの生成及び配信処理を示すフローチャートである。サテライト講義終了後、サーバのバッチ処理（日次起動処理）によって、又は遠隔教育サービスセンター２のスタッフによって、全受講生から学習結果を受信していると想定される時期に、成績データ解析アプリケーションが起動されると（Ｓ４１）、ドリル問題成績データ解析装置２４はドリル問題配信装置２３（メールサーバ）にPOP3接続し、遠隔教育サービスセンター２宛メールボックスに到着している全受講生からの学習結果データを取得する（Ｓ４２）。この学習結果データは図２１に示す形式で受講生から送られてくる。ドリル問題成績データ解析装置２４は、当該取得した学習結果データを解析処理し、例えば、図２２に示すようなクラス単位、学校単位、地域単位、全国単位等の種類・内容の出題範囲別及び設問別正答率の学習成績データを、例えば図２３に示すような形式で生成する（Ｓ４３）。そして、生成した学習成績データを、成績データ解析アプリケーションのパラメータとして予め設定してある講師のメールアドレスを、学習成績データ配信先としてメールアドレス帳から読み出して、ドリル問題配信装置（メールサーバ）２３からSMTP送信処理する（Ｓ４４）。
【００５０】
一方、サテライト講義受信学校４の講師は、各サテライト講義放送終了後、受講生の学習状況を見て、受講生が回答し終わったと思われる時期に、ドリル問題成績データ閲覧装置４４（成績データ確認アプリケーション）を起動する。この起動後、成績データ確認アプリケーションは、ドリル問題配信中継装置４２（メールサーバ）にPOP3接続し、遠隔教育サービスセンター２から送られてきた上記学習成績データを取得する。この学習成績データの取得後、ドリル問題成績データ閲覧装置４４は、図２４に示すような画面により学習成績データの解析結果を表示する。これにより、講師は当該表示画面を見て、受講生の学力到達状況を検討して、正答率が悪かった問題や範囲を分析することができ、講師は次回に実施する授業方針を当該分析データに基づいて決定することができるので、講師の勘や経験に頼った授業を回避することができる。
【００５１】
図２５は遠隔学習サービスセンター２及びサテライト講義受信学校４における補足教材の配信および受信のための構成を示したシステム構成図である。上記補足教材配信サービス装置２５は、ＷＷＷサーバ２５１と、Javaサーブレットエンジン２５２とからなり、このJavaサーブレットエンジン２５２は、補足教材ダウンロード制御モジュール２５２１と、補足教材配信申し込み制御モジュール２５２２と、補足教材登録制御モジュール２５２３とで構成される。
【００５２】
補足教材ダウンロード制御モジュール２５２１は、(1)学習者から配信申込があったときに、当該学習者が補足教材入手条件（遠隔教育サービスセンター２が補足教材を追加したときに設定する）を満たすか否かを判断し、当該学習者が補足教材入手条件を満たすときに学習者への教材配信を許可する処理、(2)ネットワークを介して各サテライト講義受信学校４への教材データ配信処理、を行うものである。例えば、学習者から所望のサテライト講義の補足教材データのダウンロード要求があった場合に、当該補足教材データに対応する出題分野における当該学習者の正答率が合格基準値に達している場合にのみ、当該学習者に補足教材データを配信する。
【００５３】
上記補足教材配信申込制御モジュール２５２２は、学習者からの補足教材の配信申し込みを受理し、その申し込み内容を補足教材配信サービス装置２５内のディスク領域（新着メール用メーリングリストデータベース２５３）に格納・管理するものである。
【００５４】
上記補足教材登録制御モジュール２５２３は、遠隔教育サービスセンター２による補足教材の登録と、登録された補足教材を補足教材配信サービス装置２５内のディスク領域（補足教材登録データベース２５４）に格納して管理するものである。
【００５５】
学習者及び遠隔教育サービスセンター２のスタッフはＷＷＷブラウザを通じて補足教材配信サービス装置２５内のＷＷＷサーバ２５１にアクセスし、Javaサーブレットプログラムに起動をかけることにより、これらの機能を実行することができる。
【００５６】
補足教材新着案内サービス装置２６は、Javaアプリケーション等からなる新着案内メール送信アプリケーションで構成される。この新着案内メール送信アプリケーションは、補足教材配信サービス装置２５のＷＷＷサーバ２５１及びJavaサーブレットエンジン２５２と同じサーバＰＣで動作させ、サーバの日次処理実行機能を使って、一定間隔で起動させる（１日１回程度等）。この起動時には、補足教材登録制御モジュール２５２３により管理されている補足教材登録データベース２５４を参照して、新着補足教材の存在有無を確認し、新着補足教材が存在する場合には新着案内用メールデータを生成した後、補助教材配信申し込み制御モジュール２５２２により管理されている新着メール用メーリングリストデータベース２５３を参照して、配信希望学習者のメールアドレス宛で、新着案内メールをドリル問題配信装置２３（メールサーバ）からSMTP送信処理する。
【００５７】
サテライト講義受信学校４においては、補足教材新着案内入手装置４５はメール送受信用メーラーソフトにより構成され、ドリル問題配信中継装置４２（メールサーバ）にPOP3接続して新着案内メールを取得する。補足教材入手装置４６はＷＷＷブラウザにより構成され、メール送受信用メーラーソフトが受信した新着案内メールに設定されているハイパーリンク形式のアクセス情報をクリックすることで起動する。
【００５８】
補足教材の登録作業について説明する。遠隔教育サービスセンター２は、新たな補足教材を登録する場合、ＷＷＷブラウザから補足教材登録制御モジュール２５２３にアクセスし、補足教材登録制御モジュール２５２３は図２６に示すような登録作業用画面を表示する。図２６の表示画面では、新規登録する補足教材に関連するサテライト講義の情報（サテライト講義名等）、出題分野の情報（出題分野名称と合格基準正答率等）、補足教材配信開始年月日、及び補足教材（本実施形態では、ＷＷＷブラウザで閲覧可能なデータ形式により実現する。例えば、ＰＤＦ形式データ等）が設定可能とされ、「補足教材の登録」ボタンがクリックされると上記設定内容を登録するように処理する。当該設定内容は、補足教材配信サービス装置２５内の補足教材登録データベース２５４に図２７に示すデータ形式で保存する。
【００５９】
新着案内メール送信申し込み作業について説明する。新着補足教材の配信を希望する学習者は、補足教材入手装置４６のＷＷＷブラウザを起動し、ネットワークを介して遠隔教育サービスセンター２の補足教材配信サービス装置２５内のＷＷＷサーバにアクセスし、補足教材配信申込制御モジュール２５２２に起動をかける。起動をかけられた補足教材配信申込制御モジュール２５２２は、補足教材登録データベース２５４に登録されている補足教材の関連情報（どのような補足教材が当該補足教材データベースに格納されているか等）に基づいて、図２８に示すような補足教材配信申し込み画面を構成し、各学習者のドリル学習クライアント４３６（クライアントＰＣ）上のＷＷＷブラウザから閲覧できるように処理する。学習者が、この表示画面において、配信を希望するサテライト講義と出題範囲をマウスポインタの操作により選択し、画面上の登録ボタンをクリックすると、当該登録内容を新着メール用メーリングリストデータベース２５３に図２９に示すデータ形式で保存・格納する（すなわち、新着案内メールの配信申し込みを受け付ける）。
【００６０】
新着案内メール送信作業について説明する。新着メール送信アプリケーションは、本実施形態では、補足教材新着案内サービス装置２６が動作するサーバＰＣのタスク周期起動機能（例えば、WindowsNTサーバでのタスク機能等）によって、一定間隔で周期起動するアプリケーションとして設定する（例えば、１日１回）。また、本実施形態では、補足教材新着案内サービス装置２６は、補足教材配信サービス装置２５と同一サービスＰＣで動作させる。
【００６１】
図３０は新着案内メール送信処理を示すフローチャートである。上記のように周期起動する新着案内メール送信アプリケーションは、補足教材登録データベース２５４を参照し、前回処理時までに新着案内メールを送信していない補足教材が存在する場合は（Ｓ５１でＹＥＳ）、新着メール用メーリングリストデータベース２５３に登録されている学習者リスト及び補足教材リストを読み出す（Ｓ５２，Ｓ５３）。そして、配信を希望する学習者ごとに、配信が要求される補足教材が当該補足教材リストに登録されているか否かを判断すると共に、学習者が指定したサテライト講義名と出題分野が一致し、かつ、当該処理日に配信が許可されている補足教材を抽出する（Ｓ５４）。そして、図３１に示すように、補足教材が格納されている場所を示したハイパーリンク形式のアクセス情報を付けた新着案内メールを生成し、配信希望学習者のメールアドレス宛でドリル問題配信装置２３（メールサーバ）からSMTP送信する（Ｓ５５）。なお、この場合、補足教材登録データベース２５４を参照して前回処理時までに新着案内メールを送信していない補足教材が存在しない場合であっても（Ｓ５１でＮＯ）、学習者に対して「学習励ましメール」として、既に連絡済みの補足教材について図３１のハイパーリンク形式のアクセス情報を付けた新着案内メールを生成してSMTP送信する（Ｓ５５）。このＳ５１〜Ｓ５５の処理は新着補足教材の配信要求をした全学習者について行う（Ｓ５６）。
【００６２】
補足教材の入手作業について説明する。学習者は、配信申し込み登録後、自分のドリル学習クライアント４３６（クライアントＰＣ）のＷＷＷブラウザから、定期的に補足教材新着案内入手装置４５のメール送受信用メーラーソフトを起動し、新着案内メール（又は学習励ましメール）が自分宛に送信されているか否かを確認する。自分宛の新着案内メールが送信されている場合には、新着案内メールを取得し、新着案内メールに付けられている補足教材入手のためのハイパーリンク形式のアクセス情報をクリックし、補足教材入手装置４６のＷＷＷブラウザに起動をかける。起動をかけられたＷＷＷブラウザは、ドリル学習サーバ４３５から学習履歴情報を取得した後、補足教材配信サービス装置２５内のＷＷＷサーバ２５１にアクセスし、補足教材ダウンロード制御モジュール２５２１に起動をかける。
【００６３】
上記のようにして起動がかけられた補足教材ダウンロード制御モジュール２５２１の処理について説明する。図３２は当該補足教材ダウンロード時の処理を示すフローチャートである。補足教材ダウンロード制御モジュール２５２１は、学習者からの補足教材配信希望要求があった場合、学習者から送られてきた配信希望対象の補足教材ＩＤに基づいて、この補足教材に対応するサテライト講義名、出題分野、合格基準正答率を補足教材登録データベース２５４から読み出す（Ｓ６１）。次に、当該学習者が配信を要求する補足教材に対応するサテライト講義における当該出題分野の当該学習者の正答率を読み出す（Ｓ６２）。当該学習者の正答率が、上記補足教材登録データベース２５４に登録されたている合格基準正答率以上である場合は（Ｓ６３でＹＥＳ）、配信可能な補足教材として（当該学習者に学習を許可する補足教材として）、メモリ上に当該補足教材のファイル名を格納する（Ｓ６４）。当該学習者の正答率が上記補足教材登録データベースから読み出した合格基準正答率に達していない場合（Ｓ６３でＮＯ）、及び、他に配信要求のある補足教材が存在する場合は（Ｓ６５でＮＯ）、配信要求があった他の補足教材が配信可能であるかを判断するためにＳ６１〜Ｓ６３の処理を繰り返す。
【００６４】
そして、配信要求のあった全ての補足教材について上記処理を終了した場合は（Ｓ６５でＹＥＳ）、Ｓ６４で配信可能な補足教材としてメモリ上に格納した補足教材のファイル名から、図３３に示す補足教材ダウンロード画面を表示する（Ｓ６６）。この画面における補足教材名の表示は、補足教材データが格納されているデータベースにリンクしているため、学習者は自分のドリル学習クライアント４３６（クライアントＰＣ）のＷＷＷブラウザから所望の補足教材名の表示をクリックすると、当該補足教材データがダウンロードされるようになっている。
【００６５】
このように、本実施形態の発明によれば、サテライト講義受信学校４側から得た学習結果データが遠隔学習サービスセンター２側において解析され、当該解析データに基づいて新たな設問が作成されて当該サテライト講義受信学校４に送信されるので、サテライト講義受信学校４で学習する学習者の学習進捗状況や理解度に応じて、即時に新たな設問を作成してサテライト講義受信学校４（特に学習者）に自動的に送信することができる。これにより、学習者は一度受信して学習した設問を効率良く復習すること等が可能になり、高い学習効果を得ることができる。
【００６６】
また、本実施形態の発明によれば、サテライト講義受信学校４のドリル学習サーバ４３５及びドリル学習クライアント４３６（クライアントＰＣ）のＷＷＷブラウザから、ドリル問題オーサリング装置２２の学習結果解析部２２２による解析結果が閲覧可能なので、学習者は当該解析結果を参考にして今後の学習計画を立てることができる。また、サテライト講義受信学校４の講師も、当該解析データを参考にすることで、講師は自身の勘や経験に頼ることなく、正確に学習者の能力や学習進捗状況に合わせた授業を行うことが可能になる。
【００６７】
サテライト講義受信学校４の学習者から新着補足教材の配信要求があった場合、この学習者の正答率が合格基準に達している場合にのみ、新着補足教材のデータを当該学習者に送信するので、極めて正確に学習者の学習意欲と学習理解度に合わせた教材データの配信を行うことができる。
【００６８】
なお、本発明の実施形態として示した上記構成は、本発明の一例に過ぎず、上記構成に限られず種々の変形が可能である。
【００６９】
【発明の効果】
以上のように本発明によれば、センター側システムにおいて、クライアント側システムから得た学習結果データに基づいて、クライアント側システムに送信した設問の正答率が算出され、当該正答率に基づいた新たな設問が作成されてクライアント側システムに送信されるので、クライアント側システムを用いて学習する学習者の学習進捗状況や理解度に応じて、即時に新たな設問を作成してはクライアント側システムに自動的に送信することができる。これにより、学習者は一度受信して学習した設問を効率良く復習すること等が可能になり、高い学習効果を得ることができる。
【００７０】
また、クライアント側システムにおいて、センター側システムが放送する授業内容の放送予定日に応じて、当該授業内容に対応した設問又は上記正答率に基づいた作成された新たな設問のいずれかを選択的に出題するので、クライアント側システムで学習する学習者は、放送される授業をより深く理解することが可能なり、高い学習効果を得ることができる。
【００７１】
また、クライアント側システムにおいて前記学習結果解析手段の算出した前記正答率を閲覧可能とした場合には、学習者は当該正答率を参考にして今後の学習計画を立てることができる。また、クライアント側システムを利用して授業を行う講師も当該正答率を参考にすることで、講師は自身の勘や経験に頼ることなく、正確に学習者の能力や学習進捗状況に応じた授業を行うことが可能になる。
【００７２】
上記正答率に対応して前記クライアント側システムから送られてくる問題要求指示に基づいて、センター側で新たな設問が作成されるようにした場合には、更に正確に学習者の学習進捗状況や理解度に応じた新たな設問を作成することができる。
【００７３】
クライアント側システムにおいて、センター側システムが放送する授業内容の放送予定日後には、上記新たな設問又は放送予定日後用の設問を選択的に出題する構成を採った場合には、クライアント側システムで学習する学習者は、放送される授業をより深く理解することが可能となり、高い学習効果を得ることができる。
【００７４】
また、センター側システムに新たな教材データが追加されたことをクライアント側システムに通知し、クライアント側システムから新たな教材データの配信要求があった場合に、当該新たに追加された教材データをクライアント側システムに送信するようにすれば、新たに追加された教材データの送信を希望するクライアント側システムにのみ当該教材データを送信することができ、学習者の学習意欲と学習理解度に応じた教材データの配信を行うことができる。
【００７５】
クライアント側システムから新たな教材データの配信要求があり、学習結果解析手段の算出した正答率が所定条件を満たしている場合にのみ、新たに追加された教材データがクライアント側システムに送信されるようにすれば、更に正確に学習者の学習意欲と学習理解度に合わせた教材データの配信が行われる。
【図面の簡単な説明】
【図１】  本発明の一実施形態に係る遠隔学習システムの全体構成図である。
【図２】  遠隔教育サービスセンター及びサテライト講義受信学校の内部構成を示した遠隔学習システムの全体構成図である。
【図３】  ドリル形式学習装置を構成する各機器を示す図である。
【図４】  ドリル学習サーバの概略構成を示す図である。
【図５】  ドリル学習クライアントの概略構成を示す図である。
【図６】  ドリル学習クライアントのドリル学習用アプレットの動作シーケンスを示すフローチャートである。
【図７】  認証情報入力用画面を示す図である。
【図８】  ドリル問題データのデータ形式を示す図である。
【図９】  ドリル形式反復学習実施画面を示す図である。
【図１０】  ドリル形式反復学習実施画面を示す図である。
【図１１】  サテライト講義との学習タイミングに応じたドリル問題の出題処理を示すフローチャートである。
【図１２】  採点結果画面を示す図である。
【図１３】  学習履歴データとしての累積正答率のデータ形式を示す図である。
【図１４】  累積正答率の算出式を示す図である。
【図１５】  ドリル学習結果解析部の処理を示すフローチャートである。
【図１６】  遠隔教育サービスセンター宛メールボックスに到着する学習結果用メールのデータ形式を示す図である。
【図１７】  出題範囲別及び問題／設問別正答率集計結果の表示画面を示す図である。
【図１８】  「プレ学習」又は「ポスト学習」用ドリル問題の一覧表示画面を示す図である。
【図１９】  本発明の他の実施形態に係る遠隔学習システムの全体構成図である。
【図２０】  ドリル問題成績データ解析装置による学習成績データの生成及び配信処理を示すフローチャートである。
【図２１】  遠隔教育サービスセンター宛メールボックスに到着する学習結果データのデータ形式を示す図である。
【図２２】  学習成績データとして算出される種類・内容を表した図である。
【図２３】  学習成績データのデータ形式を示す図である。
【図２４】  学習成績データの表示画面を示す図である。
【図２５】  遠隔学習サービスセンター及びサテライト講義受信学校における補足教材の配信及び受信のための構成を示したシステム構成図である。
【図２６】  （ａ）（ｂ）は補足教材登録制御モジュールの登録作業用画面を示す図である。
【図２７】  補足教材の登録設定内容保存時のデータ形式を示す図である。
【図２８】  補足教材配信申し込み画面を示す図である。
【図２９】  新着案内メールの配信申し込み内容保存時のデータ形式を示す図である。
【図３０】  新着案内メール送信処理を示すフローチャートである。
【図３１】  新着案内メールのデータ形式を示す図である。
【図３２】  補足教材ダウンロード時の処理を示すフローチャートである。
【図３３】  補足教材ダウンロード画面を示す図である。
【符号の説明】
１      遠隔学習システム
２      遠隔教育サービスセンター
３      ネットワーク
４      サテライト講義受信学校
１０    遠隔学習システム
２１    サテライト講義放送装置
２２    ドリル問題オーサリング装置
２３    ドリル問題配信装置
２４    ドリル問題成績データ解析装置
２５    補足教材配信サービス装置
２６    補足教材新着案内サービス装置
４１    サテライト講義受信装置
４２    ドリル問題配信中継装置
４３    ドリル形式学習装置
４４    ドリル問題成績データ閲覧装置
４５    補足教材新着案内入手装置
４６    補足教材入手装置
２２１  ドリル問題格納部
２２２  ドリル学習結果解析部
２３１  ドリル問題配信部
２３２  ドリル学習結果受信部
２５１  ＷＷＷサーバ
２５２  サーブレットエンジン
２５３  新着メール用メーリングリストデータベース
２５４  補足教材登録データベース
４２１  問題ダウンロード部
４２２  学習履歴送信部
４３１  ドリル形式学習部
４３２  学習履歴保存部
４３５  ドリル学習サーバ
４３６  ドリル学習クライアント
２５２１  補足教材ダウンロード制御モジュール
２５２２  補足教材配信申込制御モジュール
２５２３  補足教材登録制御モジュール
４３５１  ＷＷＷサーバ
４３５２  サーブレットエンジン
４３６０  ドリル学習用アプレット
４３６１  インターネットメール送受信モジュール
４３６２  ドリル問題出題制御モジュール
４３６３  学習履歴モジュール
【図１】
0003934501.tif 000002
【図２】
0003934501.tif 000003
【図３】
0003934501.tif 000004
【図４】
0003934501.tif 000005
【図５】
0003934501.tif 000006
【図６】
0003934501.tif 000007
【図７】
0003934501.tif 000008
【図８】
0003934501.tif 000009
【図９】
0003934501.tif 000010
【図１０】
0003934501.tif 000011
【図１１】
0003934501.tif 000012
【図１２】
0003934501.tif 000013
【図１３】
0003934501.tif 000014
【図１４】
0003934501.tif 000015
【図１５】
0003934501.tif 000016
【図１６】
0003934501.tif 000017
【図１７】
0003934501.tif 000018
【図１８】
0003934501.tif 000019
【図１９】
0003934501.tif 000020
【図２０】
0003934501.tif 000021
【図２１】
0003934501.tif 000022
【図２２】
0003934501.tif 000023
【図２３】
0003934501.tif 000024
【図２４】
0003934501.tif 000025
【図２５】
0003934501.tif 000026
【図２６】
0003934501.tif 000027
【図２７】
0003934501.tif 000028
【図２８】
0003934501.tif 000029
【図２９】
0003934501.tif 000030
【図３０】
0003934501.tif 000031
【図３１】
0003934501.tif 000032
【図３２】
0003934501.tif 000033
【図３３】
0003934501.tif 000034